(57)【要約】【課題】本発明は、極めて商品価値の高い画期的なショベル機械用のバケットに付設されるツース盤及びショベル機械用のバケットを提供することを目的とするものである。【解決手段】ショベル機械用のバケット１に付設されるツース盤２であって、このツース盤２はバケット１の先端に突設されるアダプタ部材３を介して着脱自在に設けられ、このツース盤２には、該ツース盤２をバケット１の先端に付設した際、バケット１先端とツース盤２基端との間に生じる隙間を隠蔽する隠蔽部４が設けられ、この隠蔽部４は、ツース盤２の基端側外方位置に設けられてバケット１の先端外面部に重合状態に配されるとともに、隠蔽部４が当該バケット１に固定部５により連結固定されたものである。【選択図】　　　　図１
2004124414.tif 000002
【特許請求の範囲】
【請求項１】
ショベル機械用のバケットに付設されるツース盤であって、このツース盤はバケットの先端に突設されるアダプタ部材を介して着脱自在に設けられ、このツース盤には、該ツース盤をバケットの先端に付設した際、バケット先端とツース盤基端との間に生じる隙間を隠蔽する隠蔽部が設けられ、この隠蔽部は、ツース盤の基端側外方位置に設けられてバケットの先端外面部に重合状態に配されるとともに、隠蔽部が当該バケットに固定部により連結固定されることを特徴とするショベル機械用のバケットに付設されるツース盤。
【請求項２】
請求項１記載のショベル機械用のバケットに付設されるツース盤において、前記バケットに対して隠蔽部が締め付け固定されるように前記固定部を構成したことを特徴とするショベル機械用のバケットに付設されるツース盤。
【請求項３】
請求項１，２のいずれか１項に記載のショベル機械用のバケットに付設されるツース盤において、前記固定部は、バケットと隠蔽部との重合部位に嵌挿される棒状部材と、この棒状部材に設けられ、当該重合部位の内外面側から挟み込み状態で当接する当接部材とで構成されていることを特徴とするツース盤。
【請求項４】
請求項１〜３いずれか１項に記載のショベル機械用のバケットに付設されるツース盤において、前記隠蔽部をツース盤の基端部に一体成形したことを特徴とするショベル機械用のバケットに付設されるツース盤。
【請求項５】
請求項１〜４いずれか１項に記載のツース盤を具備することを特徴とするショベル機械用のバケット。
【発明の詳細な説明】
【０００１】
【発明の属する技術分野】
本発明は、土木工事などに使用するショベル機械用のバケットに付設されるツース盤及びショベル機械用のバケットに関するものである。
【０００２】
【従来の技術及び発明が解決しようとする課題】
従来、パワーショベルやショベルローダなどのショベル機械のバケットには、その底部先端位置にアダプタ部材の基部を溶接その他の方法により止着し、このアダプタ部材に整地作業用のツース盤の係合凹部を被嵌し、ロックピン部材などの固定手段によりアダプタ部材とツース盤とを一体的に固定し、これにより掘削した土砂や砂利や岩片などの整地や運搬車などへの積み込みを行っていた。
【０００３】
しかしながら、この従来タイプの構造では、アダプタ部材にツース盤の係合凹部を被嵌し固定手段で固定したとき、ツース盤の基部とバケット先端部との間に隙間が生じ、バケットで土砂や砂利などをすくった場合、これらの土砂や砂利がこの隙間からこぼれ落ちて見苦しいうえに作業能率が悪かった。
【０００４】
そこで、本出願人は上述した問題点を解決すべく、実用新案登録第３０５２２９０号にてショベル機械用バケット機構を提案している。
【０００５】
このショベル機械用バケット機構は、バケット本体の掬土位置に付設したアダプタ部材にツース盤の係合凹部を被嵌し固定手段で固定したとき、係合凹部の左右のツース盤の基部とバケット本体先端部との間の隙間を隠蔽する隠蔽板をツース盤の基部の一面若しくは上下面に設けたものである。
【０００６】
これであれば、バケットで土砂や砂利などをすくった場合に土砂や砂利などが零れ落ちることがなくなり快適に作業が遂行でき作業能率が向上するなどの作用効果を発揮する。
【０００７】
本出願人は、この隠蔽板を設けたタイプのツース盤に関して更なる研究・実験を重ね、極めて商品価値の高い画期的なショベル機械用のバケットに付設されるツース盤及びショベル機械用のバケットを開発した。
【０００８】
【課題を解決するための手段】
添付図面を参照して本発明の要旨を説明する。
【０００９】
ショベル機械用のバケット１に付設されるツース盤２であって、このツース盤２はバケット１の先端に突設されるアダプタ部材３を介して着脱自在に設けられ、このツース盤２には、該ツース盤２をバケット１の先端に付設した際、バケット１先端とツース盤２基端との間に生じる隙間を隠蔽する隠蔽部４が設けられ、この隠蔽部４は、ツース盤２の基端側外方位置に設けられてバケット１の先端外面部に重合状態に配されるとともに、隠蔽部４が当該バケット１に固定部５により連結固定されることを特徴とするショベル機械用のバケットに付設されるツース盤に係るものである。
【００１０】
また、請求項１記載のショベル機械用のバケットに付設されるツース盤において、前記バケット１に対して隠蔽部４が締め付け固定されるように前記固定部５を構成したことを特徴とするショベル機械用のバケットに付設されるツース盤に係るものである。
【００１１】
また、請求項１，２のいずれか１項に記載のショベル機械用のバケットに付設されるツース盤において、前記固定部５は、バケット１と隠蔽部４との重合部位に嵌挿される棒状部材６と、この棒状部材６に設けられ、当該重合部位の内外面側から挟み込み状態で当接する当接部材７，８とで構成されていることを特徴とするツース盤に係るものである。
【００１２】
また、請求項１〜３いずれか１項に記載のショベル機械用のバケットに付設されるツース盤において、前記隠蔽部４をツース盤２の基端部に一体成形したことを特徴とするショベル機械用のバケットに付設されるツース盤に係るものである。
【００１３】
また、請求項１〜４いずれか１項に記載のツース盤を具備することを特徴とするショベル機械用のバケットに係るものである。
【００１４】
【発明の作用及び効果】
本発明は、バケット１の先端にアダプタ部材３を介してツース盤２を付設した際、バケット１先端とツース盤２との間に生じる隙間は隠蔽部４で隠蔽され、よって、例えばバケット１で土砂や砂利をすくった場合に、これらがバケット１先端とツース盤２との間に生じる隙間からこぼれ落ちるようなことが可及的に防止される。
【００１５】
ところで、本発明は、この隠蔽部４がツース盤２の基端側外方位置に設けられてバケット１の先端外面部に重合状態に配されるとともに、当該バケット１に対して固定部５を介して連結固定されている。
【００１６】
従って、ツース盤２を例えば地面に突き刺して内側に引き寄せた際、当該ツース盤２に加わる外方への力を確実に支承して破損を防止することができ、即ち、従来のようにツース盤２で受ける力をアダプタ部材３だけで支承するのではなく、その力をバケット１へ分散させて支承することが出来るから、アダプタ部材３の破損を可及的に防止することができるのは勿論、ツース盤２の耐久性も飛躍的に向上することになり、しかも、単にバケット１の外面部に隠蔽部４を当接させるだけでの構造ではなく、固定部５により連結固定される構造であるから、仮に製造時における精度誤差や製造条件の違いによりバケット１の先端外面部と隠蔽部４との間に隙間が生じたとしても、確実に固定されることでがたつきが生じにくく耐久性は確実に向上することになる。
【００１７】
以上のように、本発明は、従来にない画期的な作用効果を発揮し、極めて商品価値の高いものになる。
【００１８】
【発明の実施の態様】
図面は本発明の一実施例を図示したものであり、以下に説明する。
【００１９】
符号１はショベル機械Ａ用のバケット、３はバケット１の底部先端に溶接若しくはその他の方法により止着されるアダプタ部材である。
【００２０】
本実施例は、ショベル機械Ａ用のバケット１に付設されるツース盤２であって、このツース盤２は、図１，２に図示したように適宜な金属製の部材で形成したものであり、先端に刃部２ａを有する方形板状体（地均板）の基端側中央位置にアダプタ部材３の先端部に被嵌する係合凹部２ｂが設けられている。
【００２１】
この係合凹部２ｂには、その上面部に孔２ｂ’が形成されており、この孔２ｂ’は、アダプタ部材３先端の係合凸部３ａに被嵌した際、該アダプタ部材３の係合凸部３ａに設けられた孔３ａ’と合致するものであり、この合致孔にロックピン部材９を嵌挿することでアダプタ部材３とツース盤２とを一体的に固定することができる。符号１１はロックピン部材９の抜けを防止する弾性合成樹脂体である。
【００２２】
また、ツース盤２は、その右側部に外面側が段を介して凹み形成された肉薄の平板状部２ｃが設けられ、一方、その左側部に内面側が段を介して凹み形成された肉薄の平板状部２ｄと、この平板状部２ｄの上方に所定間隔を介して配設される突板部２ｅとから成り、他のツース盤２の右側部に設けられる平板状部２ｃを挟み込み連結し得る挟持連結部１０が設けられている。
【００２３】
従って、ツース盤２は、図２に図示したように他のツース盤２と所定数連結することができ、この夫々のツース盤２をアダプタ部材３を介してバケット１の先端に固定することができる（尚、図２中の左右に配設されるツース盤２は夫々側部専用のツース盤２であり、左側ツース盤２は、右側部には平板状部２ｃが設けられ、左側部には挟持連結部１０は設けられず、一方、右側ツース盤２は、右側部には平板状部２ｃは設けられず、左側部には挟持連結部１０が設けられた構造である。）。
【００２４】
ところで、前述した構造のツース盤２を所定数連結した状態でバケット１の先端に固定した際、夫々のツース盤２の基端部の係合凹部２ｂの左右とバケット１先端部との間に必然的に間隙が形成される（この間隙は、製造精度を高めることで低減することはできるがコスト面や量産性の面で実質不可能であり、バケット１に対してツース盤２が突合せで連結する構造である以上、必然的に生じるものである。）。
【００２５】
そこで、本実施例は、この間隙を隠蔽するための隠蔽部４が設けられている。
【００２６】
この隠蔽部４は、ツース盤２の基端側外方位置にして挟持連結部１０が設けられる側の位置に一体成形されており、ツース盤２をバケット１の先端に付設した際、バケット１の先端外面部に重合状態に配されるように構成されている。
【００２７】
従って、例えばバケット１で土砂や砂利をすくった場合に、これらがバケット１先端とツース盤２との間に生じる隙間からこぼれ落ちるようなことが可及的に防止される。
【００２８】
また、隠蔽部４は、バケット１に対して固定部５により固定される。
【００２９】
具体的には、固定部５は、図３に図示したようにバケット１及び隠蔽部４夫々に形成される貫通孔１ａ，４ａに嵌挿する棒状部材６と、この棒状部材６に設けられ、バケット１と隠蔽部４との重合部位の内外面側から挟み込み状態で当接する当接部材７，８とで構成されている。
【００３０】
一方の当接部材７は、棒状部材６をボルト構造としてその一端部に形成される頭部で構成され、他方の当接部材８は、棒状部材６のネジ部６ａに螺着される螺着部材（ナット）で構成されている。
【００３１】
従って、この固定部５によりバケット１に対して隠蔽部４が挟み込まれて押圧状態で締め付け固定されており、更に、この当接部材８を螺動させることで、常にバケット１に対する隠蔽部４の押圧度合いを可変し得ることになる。符号１２はスペーサーである。
【００３２】
本実施例は上述のように構成したから、バケット１の先端にアダプタ部材３を介してツース盤２を付設した際、バケット１先端とツース盤２との間に生じる隙間は隠蔽部４で隠蔽され、よって、例えばバケット１で土砂や砂利をすくった場合に、これらがバケット１先端とツース盤２との間に生じる隙間からこぼれ落ちるようなことが可及的に防止される。
【００３３】
また、この隠蔽部４がツース盤２の基端側外方位置に設けられてバケット１の先端外面部に重合状態に配されるとともに、当該バケット１に対して固定部５を介して連結固定されているから、ツース盤２を例えば地面に突き刺して内側に引き寄せた際、当該ツース盤２に加わる外方への力（反発力）を確実に支承することができる。
【００３４】
よって、本実施例によれば、従来のようにツース盤２で受ける力をアダプタ部材だけで支承するのではなく、その力をバケット１へ分散させて支承することが出来るから、アダプタ部材３の破損を可及的に防止することができるのは勿論、ツース盤２の耐久性も飛躍的に向上することになり、しかも、単にバケット１の外面部に隠蔽部４を当接させるだけでの構造ではなく、固定部５により固定される構造であるから、仮に製造時における精度誤差や製造条件の違いによりバケット１の外面部と隠蔽部４との間に隙間が生じたとしても、確実に固定されることでがたつきが生じにくく耐久性は確実に向上することになる。
【００３５】
また、本実施例は、バケット１に対して隠蔽部４が押圧状態で締め付け固定されるように固定部５が構成されているから、仮に度重なる使用によりバケット１と隠蔽部４との間に隙間が生じたとしても常に良好な状態が得られることになる。
【００３６】
また、本実施例は、隠蔽部４をツース盤２の基端部に一体成形したから、簡易構造故にコスト安にして量産性に秀れるのは勿論、ツース盤２に加わる力を支承するものとして十分な強度を具備することになる。
【００３７】
尚、本発明は、本実施例に限られるものではなく、各構成要件の具体的構成は適宜設計し得るものである。
【図面の簡単な説明】
【図１】本実施例を示す斜視図である。
【図２】本実施例を説明する平面図である。
【図３】本実施例に係る要部の側断面図である。
【図４】本実施例の使用状態説明図である。
【図５】本実施例の使用状態説明図である。
【符号の説明】
１　バケット
２　ツース盤
３　アダプタ部材
４　隠蔽部
５　固定部
６　棒状部材
７　当接部材
８　当接部材
【図１】
2004124414.tif 000003
【図２】
2004124414.tif 000004
【図３】
2004124414.tif 000005
【図４】
2004124414.tif 000006
【図５】
2004124414.tif 000007